(57)【要約】【課題】ベッドを小形軽量化できて、ワークに対する高精度加工が可能になる工作機械を提供すること。【解決手段】ベッド１０の底面の３箇所に設置のための脚を設ける。ベッド１０には脚を補強するための補強部を形成する。ベッド１０には複数の透孔９１を形成する。ワークを支持可能なテーブル１２が走行される一方向に延長されたテーブル走行部４３がベッド１０の前部に配置されている。そして、前記脚部を前記テーブル走行部４３の両端部に対応させるとともに、他の脚部をテーブル走行部の長さ方向中央の後方に対応させた。【選択図】図１
2019209400.tif 000002
【特許請求の範囲】
【請求項１】
ベッドの底面の３箇所にそのベッドの設置のための脚部を備え、前記ベッドにはベッドの底面を三角形状にするための斜辺部を形成した工作機械。
【請求項２】
前記ベッドには前記脚部を補強するための補強部を形成した請求項１に記載の工作機械。
【請求項３】
ワークを支持可能にしたテーブルが走行される一方向に延長されたテーブル走行部を前記ベッドの前部に設け、前部側の一対の脚部を前記テーブル走行部の両端部に対応させるとともに、他の脚部をテーブル走行部の長さ方向中央の後方位置に対応させた請求項２に記載の工作機械。
【請求項４】
前記ベッドの前記テーブル走行部より後部側をテーブル走行部の長さより幅狭形状にした請求項３に記載の工作機械。
【請求項５】
前記補強部をテーブル走行部の下部に設け、その補強部と対応して前部側の一対の脚部を配置した請求項３に記載の工作機械。
【請求項６】
前記ベッドには、工具が設けられた加工軸ユニットを支持手段を介して前記テーブル走行部の延長方向と直交する方向に移動可能に支持し、前記支持手段の側部には補強用の湾曲部を形成した請求項３に記載の工作機械。
【請求項７】
前記ベッドには、工具が設けられた加工軸ユニットを支持手段を介して前記テーブル走行部の延長方向と直交する方向に移動可能に支持し、前記支持手段の後部には補強用の湾曲部を形成した請求項３に記載の工作機械。
【請求項８】
前記加工軸ユニットを支持する前記ベッドの部分を前記テーブル走行部側に向かってオーバーハングさせた請求項６または７に記載の工作機械。
【請求項９】
前記ベッドの前板部を下部側が後退するように傾斜させた請求項３に記載の工作機械。
【請求項１０】
前記ベッドの上面に開放部を形成し、加工軸ユニットを昇降させるためのボールねじを含む加工ユニットを前記開放部を介してベッド内に突出させた請求項６に記載の工作機械。
【請求項１１】
前記ベッドの下部には、同一軸線上において対向して設けられた一対の雌ねじ部と、操作部の両端に設けられた雄ねじを前記雌ねじ部に螺合した調節部材とよりなる調節手段を設けた請求項３に記載の工作機械。
【請求項１２】
前記調節手段を前記テーブル走行部の下側における長さ方向の中央に配置した請求項１１に記載の工作機械。
【請求項１３】
前記ベッドは、ベッド本体と、そのベッド本体の上面両側に設けられ、加工ユニットを支持する支持部材とを備えた請求項１〜１２のうちのいずれか一項に記載の工作機械。
【発明の詳細な説明】
【技術分野】
【０００１】
本発明は、ベッドを床面などの設置面に対して３点支持できるようにした工作機械に関するものである。
【背景技術】
【０００２】
一般の工作機械は、ベッドがその四隅の４箇所において床面などの設置面に対して支持される、いわゆる４点支持である。このような４点支持は、設置面に対して４点すべてを均等な力で支持させることが難しく、その高さ調整に手間がかかるものである。
【０００３】
この問題に対処するために、特許文献１に開示された工作機械として、ベッドを床面などの設置面に対して３点支持できるようにした構成が提案されている。特許文献１の工作機械は、単純なボックス形状のベッドの下面の３箇所に設置面に対する支持点を設けたものである。
【先行技術文献】
【特許文献】
【０００４】
【特許文献１】特開２００５−１３１７６８号公報
【発明の概要】
【発明が解決しようとする課題】
【０００５】
特許文献１に記載の工作機械においては、３点支持であっても、ベッドは単純なボックス形状をなしている。そして、ベッドは、十分な強度や安定性を確保するものを鋳造で構成する必要があるため、大重量になることを回避困難であるばかりでなく、ベッド全体の剛性が低下する。この剛性低下は、ワークに対する加工精度の低下につながる。そして、このようにボックス形状のベッドは、３点で支持すると、不安定になりやすい。また、ベッドは、容積が大きく大重量であるため、固有振動数が低くなり、従って、加工精度に悪影響を与える共振周波数が低くなる結果となる。このように、共振周波数が低くなると、振動の振幅が大きくなって、加工精度の低下が招来される。
【０００６】
本発明の目的は、３点支持構成のベッドにより、ワークに対する加工精度を向上できるようにした工作機械を提供することにある。
【課題を解決するための手段】
【０００７】
上記の目的を達成するために、本発明においては、ベッドの底面の３箇所にそのベッドの設置のための脚部を備え、前記ベッドにはベッドの底面を三角形状にするための斜辺部を形成したことを特徴とする。
【０００８】
従って、本発明によれば、工作機械を工場の床面などの設置面に３点支持より支持できる。従って、設置面の平坦度に関わらず、工作機械を安定支持できる。そして、ベッドの底面が三角形状に形成されているため、４点支持の従来の工作機械と比較してベッドを小形化及び軽量化することが可能になる。このようにベッドを小形化できるため、ベッドの剛性が向上し、ワークに対する加工精度を上げることが可能になる。また、ベッドを小形化できるため、工作機械の設置場所の制約が少なくなり、その工作機械の移動や運搬も容易になる。ベッドを軽量化することにより、ベッドの固有振動数を高くすることができる。このため、ベッドの共振周波数が高くなって、加工精度が向上する。
【発明の効果】
【０００９】
本発明によれば、３点支持構成のベッドにより、ワークに対する加工精度を向上できるという効果を発揮する。
【図面の簡単な説明】
【００１０】
【図１】第１実施形態の工作機械を上方から見た斜視図。
【図２】図１の工作機械の分解斜視図。
【図３】図１の工作機械を下方から見た斜視図。
【図４】図１の工作機械の正面図。
【図５】図１の工作機械の側面図。
【図６】図４の６−６線の部分における断面図。
【図７】図５の７−７線の部分における断面図。
【図８】第２実施形態の工作機械の一部断面図。
【図９】同じく異なる切断面で示す一部断面図。
【発明を実施するための形態】
【００１１】
（第１実施形態）
以下、本発明を具体化した第１実施形態を図面に基づいて説明する。
図１及び図２に示すように、第１実施形態の工作機械は、ベッド１０のベッド本体１１，そのベッド本体１１の前部においてＸ軸方向（左右方向）に移動可能に支持されたテーブル１２を備えている。また、工作機械は、前記ベッド本体１１の上面の両側に固定された一対の支持部材１４及びその支持部材１４上にＺ軸方向（前後方向）に移動可能に支持された加工ユニット１５を備えている。前記支持部材１４は、前記ベッド１０の一部を構成する。加工ユニット１５はＹ軸方向（上下方向）に移動可能にした回転砥石１６を備えている。そして、前記テーブル１２上にワークが支持されて、テーブル１２がＸ軸方向に移動され、回転砥石１６がＺ軸方向及びＸ軸方向に移動されて、回転砥石１６により、ワークに対して所要の加工が施される。
【００１２】
そこで、以下に、各部の構成を詳細に説明する。
はじめに、ベッド本体１１及びその関連構成を説明する。
図１〜図３に示すように、ベッド本体１１は、全体が鋳造によって一体形成され、ほぼ三角形状の底板部２０，ほぼ三角形状の一対の斜辺部としての下部側板部２１，ほぼ側面三角形状の一対の上部側板部２２，前板部２３，後板部２４を備えている。両上部側板部２２の上端には水平な上板部２５が形成されるとともに、両上部側板部２２の前面には立板部２６が形成されている。図６に示すように、前記前板部２３の後部側には内側板部２７が形成されている。そして、図１に示すように、前記両上板部２５間におけるベッド本体１１の上面には開放部２８が形成されている。
【００１３】
図３に示すように、前記底板部２０は前記斜辺部としての下部側板部２１の形成により三角形状に形成されている。このため、底板部２０には、前部側に三角形の２つの頂点部が形成されるとともに、後部側に三角形のひとつの頂点部が形成され、前部側の２つの頂点部に脚部としての前部脚３１が、後部側の頂点部に脚部としての後部脚３２が設けられている。一対の前部脚３１は、１本のＸ軸方向の線上に位置し、後部脚３２は両前部脚３１間の中央を通るＺ軸方向の線上に位置している。図５に示すように、前部脚３１は、斜面３３を有する固定カム体３４と、上下動可能にした脚部材３５とを備え、脚部材３５の上面には、前記斜面３３と接する斜面３６を有する可動カム体３７が設けられている。脚部材３５は、その前後の規制部３９により、固定カム体３４から外れないようになっている。脚部材３５は床面などの設置面に設置されるものである。そして、調節ねじ３８の回転に基づくねじの作用により、固定カム体３４の斜面３３に対して可動カム体３７の斜面３６が摺動して、カム作用により脚部材３５が上下動される。その結果、前部脚３１の高さが調節される。後部脚３２の高さは固定である。
【００１４】
図３，図５及び図６に示すように、前記後板部２４は、下方側が前方に向かって後退するように傾斜している。前記底板部２０の後端コーナ部は後板部２４より後方に突出しており、その突出部に前記後部脚３２が配置されている。底板部２０の後端コーナ部と後板部２４の外側面との間には、補強部としての一対の補強リブ４１が一体形成されている。この両補強リブ４１は側面三角形状に形成されるとともに、下方へ向かって相互に接近して収束するように傾斜されて、後部脚３２の部分において一体化されている。前記下部側板部２１の後端部２９が補強リブ４１の下端部まで延長されている。
【００１５】
図１，図２及び図５に示すように、前記立板部２６の前方において、両上部側板部２２の前端間には上面及び両端面を開放したＸ軸方向に延在する樋形状のテーブル走行部４３が形成され、前記両前部脚３１がこのテーブル走行部４３の両端部の幅方向中央の下方に位置している。テーブル走行部４３の両端は端部材４４によって閉塞されている。両端部材４４間において、テーブル走行部４３の前後の開口部には第１ガイドレール４５が固定され、この第１ガイドレール４５によってガイドされて前記テーブル１２がＸ軸方向にスライド可能に支持されている。テーブル１２はリニアモータ（図示しない）によってＸ軸方向に移動される。
【００１６】
図１，図２及び図５に示すように、前記両上板部２５の上面には前記開放部２８の両側に位置する支持部材１４がそれぞれ複数のボルト１３によって固定されている。両支持部材１４の前端上部には前方に突出するオーバーハング部５１が形成されている。支持部材１４の上面には、それぞれＺ軸方向に延びる第２ガイドレール５２が取り付けられている。この第２ガイドレール５２は、前記オーバーハング部５１を含む支持部材１４のＺ軸方向における全長にわたっている。
【００１７】
図１及び図２に示すように、前記第２ガイドレール５２間の位置には前記開放部２８内に位置する前記加工ユニット１５の支持手段としてのユニットフレーム６１がＺ軸方向に移動可能に配置されている。このユニットフレーム６１は、前記両第２ガイドレール５２に支持された一対のスライダ６２と、その両スライダ６２間に架設固定された四角枠状の支持枠６３を備え、その支持枠６３の内側面には第３ガイドレール６５が取り付けられている。そして、支持枠６３は、リニアモータ６６の駆動により、スライダ６２とともに第２ガイドレール５２に沿って前記開放部２８内をＺ軸方向に往復移動される。前記スライダ６２の外側面には、湾曲部として外側に向かって円弧状に膨出する側部膨出部６７が一体形成されている。前記支持枠６３の内側面には複数の補強リブ６８が一体形成されるとともに、後側面には湾曲部として円弧状に膨出する一対の後部膨出部６９が一体形成されている。
【００１８】
図１，図２及び図６に示すように、前記支持枠６３内において、前記第３ガイドレール６５には昇降枠７１が昇降可能に支持されている。ユニットフレーム６１には、モータ７２の駆動によって回転されるボールねじ７３がＹ軸方向線上において支持され、前記昇降枠７１はボールねじ７３の正逆回転により、昇降される。昇降枠７１には、加工軸ユニットとしての砥石軸ユニット７４が支持されており、この砥石軸ユニット７４にはモータ７５によって回転される砥石軸７６が支持されている。砥石軸７６の前端には、前記オーバーハング部５１の前方に位置する前記回転砥石１６が支持されている。
【００１９】
本実施形態においては、前記第３ガイドレール６５に支持されたユニットフレーム６１，昇降枠７１，砥石軸ユニット７４などによって前記加工ユニット１５が構成されている。そして、図６に示すように、加工ユニット１５が第２ガイドレール５２に支持された状態において、加工ユニット１５の重心αがベッド本体１１の内部空間内に位置している。また、実施形態の工作機械の重心βが加工ユニット１５の重心αより低いところに位置している。
【００２０】
図３，図４及び図７に示すように、前記テーブル走行部４３の長さ方向及び幅方向の中央部の直下において、ベッド本体１１の下面には円弧状の凹部８１が形成され、その両側部には一対の凸部８２が形成されている。両凸部８２の下面には受け部材８３が固定され、この受け部材８３には雌ねじ８４が形成され、両雌ねじ８４には雄ねじ部材８５の両端部のねじ部が螺合されている。従って、雌ねじ８４と雄ねじ部材８５とによりターンバックルが構成されている。雄ねじ部材８５のねじ部には緩み止めのためのダブルナットよりなるロックナット８７が螺合されている。従って、雄ねじ部材８５を回転させることにより、両受け部材８３に接近または離間方向への力が作用し、その結果、ベッド本体１１が変形して、第１ガイドレール４５の真直度が調整される。
【００２１】
前記上部側板部２２，前板部２３，後板部２４，内側板部２７及びテーブル走行部４３には、それぞれ四角形，円形，三角形，台形や変形四角形などの形や大きさが様々の除肉部としての透孔９１が透設されている。底板部２０の下面には、複数の凹部９０が形成されている。
【００２２】
図６及び図７に示すように、前記前板部２３と内側板部２７との間には、各一対のＸ軸方向において対称形状をなす補強部としての板状の第１補強フレーム９２及び第２補強フレーム９３が一体形成されている。第１補強フレーム９２及び第２補強フレーム９３は交差して一体化されている。第１補強フレーム９２及び第２補強フレーム９３の上下方向中間部には、除肉部としての四角形の透孔９１が透設されている。第１補強フレーム９２は前記テーブル走行部４３の下面中央部と、前記上部側板部２２及び底板部２０交点部分の下端との間に介在されている。従って、この交点部分によって前部脚３１及びその周辺部分が補強されており、この交点部分を含む第１補強フレーム９２、ひいては第２補強フレーム９３が補強部を構成している。第２補強フレーム９３はテーブル走行部４３の下面中央部と前記凹部８１の部分における底板部２０の内面側との間に介在されている。前記前板部２３及び内側板部２７の前記透孔９１は、第１補強フレーム９２及び第２補強フレーム９３を除いた部分に形成されている。
【００２３】
次に、以上のように構成された工作機械の作用を説明する。
本実施形態の工作機械においては、テーブル１２上にワークが支持される。そして、回転砥石１６が回転された状態で、昇降枠７１が回転砥石１６とともに第３ガイドレール６５に沿ってＹ軸方向に移動されて高さ調整される。また、テーブル１２が第１ガイドレール４５に沿ってＸ軸方向に往復動されるとともに、砥石軸ユニット７４が回転砥石１６とともに第２ガイドレール５２に沿ってＺ軸方向に移動される。このため、回転砥石１６により、ワークに対する研削加工が実行される。
【００２４】
そして、本実施形態の工作機械は以下の効果がある。
（１）工作機械のベッド１０の底板部２０の底面の合計３箇所に前部脚３１及び後部脚３２を備えている。このため、本実施形態の工作機械は工場の床面などの設置面に３点支持より支持できる。つまり、設置面の平坦度に関わらず、工作機械を安定支持できる。この場合、前部脚３１の調節ねじ３８の操作により斜面３３，３６のカム作用によって前部脚３１の脚部材３５の高さを調整できて、工作機械の水平度及び高さを適切に維持できる。これに対し、４点支持構成のベッド場合は、脚部の高さの調整が面倒で、調整が不十分であると、重心移動が生じて、ワークの加工精度低下のおそれがある。３点支持の構成においては、このようなおそれは生じない。
【００２５】
（２）ベッド本体１１の底板部２０が三角形状であるため、４点支持の四角形の従来の工作機械と比較してベッド本体１１を小形化できる。従って、工作機械の軽量化が可能になる。従って、実施形態においては、底板部２０をほぼ三角形状にするとともに、下部側板部２１及び上部側板部２２を三角形状にし、しかも、後板部２４を下部側ほど前方に後退するように傾斜させたことにより、ベッド本体１１の容積が小さくなって、さらに小形化及び軽量化される。このように、ベッド本体１１を小形化できるため、ベッド本体１１全体の剛性を向上させることができて、ワークに対する高い加工精度を得ることができる。加えて、ベッド本体１１の各所には、必要強度を満たしつつ、凹部９０及び透孔９１が形成されているため、いっそうの軽量化が可能になる。従って、工作機械の設置場所の制約が少なくなり、移動や運搬も容易になる。
【００２６】
（３）ベッド本体１１を小形化して、ベッド本体１１の容積を小さくし、さらに各部に凹部９０及び透孔９１が形成されているため、ベッド本体１１の構成材料を少なくして、軽量化できる。このため、ベッド本体１１の固有振動数を高くすることができる。従って、ベッド本体１１の共振周波数が高くなって、加工精度が向上する。
【００２７】
（４）ベッド本体１１のテーブル走行部４３を除いた部分がテーブル走行部４３より幅狭形状に形成されている。しかも、そのベッド本体１１は三角形状の下部側板部２１の形成により後方に向かって収束するように幅狭になっている。従って、前記のように、ベッド本体１１の小形軽量化を達成できて、高精度加工が可能になるとともに、ベッド本体１１の下部側板部２１の下側にスペースが形成されるため、このスペースを油圧配管や電線の設置のために利用できる。
【００２８】
（５）テーブル走行部４３の両端に対応して前部脚３１が設けられているため、テーブル走行部４３の後部側のベッド本体１１がテーブル走行部４３より幅狭形状であっても、テーブル走行部４３の変形を抑制できて、高精度加工が可能になる。
【００２９】
（６）テーブル走行部４３の下部側が一体に交差するとともに、傾斜状の第１，第２補強フレーム９２，９３によって補強されているため、前記のようにテーブル走行部４３の変形を抑制できて、高精度加工が可能になる。また、第１，第２補強フレーム９２，９３が傾斜するとともに、第１補強フレーム９２の下端とベッド本体１１の上部側板部２２の下端位置とが合体しており、その合体部に前部脚３１が位置している。また、第２補強フレーム９３がベッド本体１１の中央下部で収束して一体化されている。このため、テーブル走行部４３に作用する加工圧力が第１，第２補強フレーム９２，９３に対してその圧縮方向への力として作用するため、テーブル走行部４３の変形を有効に防止できる。
【００３０】
（７）後部脚３２がテーブル走行部４３の長さ方向中央から後方に延長されたＺ軸方向の線上に位置している。従って、後部脚３２が砥石軸ユニット７４を有するユニットフレーム６１の移動域の直下に位置するため、ユニットフレーム６１の移動が安定し、ワークの高精度加工に寄与できる。
【００３１】
（８）ユニットフレーム６１を第２ガイドレール５２に支持するスライダ６２には、横方向へ膨出する側部膨出部６７が形成されているため、ユニットフレーム６１の支持剛性が向上し、ワークの高精度加工に寄与できる。
【００３２】
（９）ユニットフレーム６１の支持枠６３の内側に補強リブ６８が形成されるとともに、後部側には後方へ膨出する後部膨出部６９が形成されているため、前記と同様にユニットフレーム６１の支持剛性が向上し、ワークの高精度加工に寄与できる。
【００３３】
（１０）ユニットフレーム６１がその両側のスライダ６２を介して第２ガイドレール５２に支持されることにより、加工ユニット１５がベッド本体１１の上端の開放部２８を介してベッド本体１１の内部空間内に位置している。このため、工作機械の上端部分を形成する加工ユニット１５を低位置に配置できて、工作機械全体の高さを低くできる。また、加工ユニット１５の重心αの位置をベッド本体１１内の低い位置に配置できるため、工作機械全体の高さを低くできることと相俟って、加工ユニット１５の支持剛性が高くなり、加工ユニット１５の振動を抑制して、ワークの加工精度を向上できる。
【００３４】
（１１）工作機械の重心βが前記加工ユニット１５の重心αより低いところに位置しているため、工作機械として良好な設置安定性を得ることができる。従って、工作機械全体の振動を少なくして、ワークの加工精度の向上に寄与できる。
【００３５】
（１２）支持枠６３の前端部が前方に突出して、オーバーハング部５１が形成されているため、ワーク加工のために砥石軸ユニット７４を前方へ移動させても、砥石軸７６が片持ち状態になることはほとんどない。従って、砥石軸７６を前方へ大きく移動させても、ワーク加工精度の低下を抑えることができる。
【００３６】
（１３）ベッド本体１１の前板部２３が下部側ほど後方へ後退するように傾斜している。従って、ベッド本体１１の前側に位置する作業者のつま先などの下肢が前板部２３と干渉しにくく、作業がしやすいものとなる。
【００３７】
（１４）工作機械の躯体がベッド本体１１，支持部材１４，支持枠６３，スライダ６２，ユニットフレーム６１などの複数の部材によりユニット構成になっているため、それらの成形が容易である。また、各部材の組付けの位置関係を調整することにより、Ｘ軸、Ｙ軸及びＺ軸に移動される部材の移動精度を正確なものに設定できる。
【００３８】
（１５）後部脚３２の上部側を補強リブ４１によって補強しているため、後板部２４の下部側が前方に傾斜していても、後部脚３２の部分の強度及び剛性を確保できる。
（１６）ベッド本体１１の前端部の下部中央にターンバックル状の調節部材８６が設けられている。そして、ロックナット８７を緩めて、調節部材８６を回転操作することにより、ねじの作用により、ベッド本体１１の前下部における中心を中心とした湾曲度合いを調節できる。このため、テーブル走行部４３の水平面に対する変形度合いや、傾き角度を調節部材８６によって容易に微調整できて、テーブル１２の移動精度を向上でき、ひいてはワークの加工精度を向上できる。
【００３９】
（１７）ベッド本体１１の各部に凹部９０や透孔９１が形成されているため、この凹部９０や透孔９１を介して工作機械の内部と外部との間の空気の流通がスムーズになる。このため、工作機械の内外の温度差を抑えることができ、温度歪を小さくできて、ワークの加工精度を向上できる。また、透孔９１を介して工作機械の内部の状況を確認したり、点検したり、清掃したりすることが可能になるため、メンテナンス性を向上できる。
【００４０】
（第２実施形態）
次に、本発明の第２実施形態を第１実施形態と異なる部分を中心に説明する。
図８及び図９に示すように、ベッド本体１１の中央下部の凹部８１内の両側には、それぞれ斜面９６を有する一対の固定楔部材９５が固定されている。ベッド本体１１には調節ねじ９７が固定位置において回転可能に支持されている。この調節ねじ９７には、両側面に斜面９８を有する可動楔部材９９がその雌ねじ１００において螺合されている。そして、可動楔部材９９の両側面の斜面９８が固定楔部材９５の斜面９６に圧接している。
【００４１】
従って、調節ねじ９７が回転操作されることにより、ねじの作用により、可動楔部材９９がＺ軸方向の一方または他方へ移動して、楔作用により、固定楔部材９５に対して同固定楔部材９５の拡開方向またはその逆方向へ移動される。このため、ベッド本体１１の撓み量が調節されて、第１ガイドレール４５の真直度が調節される。
【００４２】
（変更例）
本発明は前記第１，第２実施形態に限定されるものではなく、以下のような態様で具体化することも可能である。
【００４３】
・ターンバックル状の調節部材８６の設置位置を、例えば、ベッド本体１１の後部側などの位置に変更すること。
・ターンバックル状の調節部材８６の設置数を変更すること。例えば、ベッド本体１１の前下部における中央位置に加えて、ベッド本体１１の下部における後部位置や両側位置にも設けること。あるいは、ベッド本体１１の上下方向中間位置や、上部位置に設けること。
【００４４】
・前記実施形態においては、工具として回転砥石を設けたが、その回転砥石に代えて、ドリル，フライス，エンドミル，ホブなど、別の種類の工具を設けること。
・除肉部としての凹部９０及び透孔９１のうちの一方を省略すること。
【００４５】
・斜辺部としての下部側板部２１を省略し、斜辺部を構成するように、上部側板部２２を実施形態の下部側板部２１と同様に下部側に後退する傾斜状にすること。
・ベッド本体１１と支持部材１４とを一体化すること。
【００４６】
・ベッド本体１１の変形量を調節するための調節手段として、ベッド本体１１に同一軸線上において一対の雄ねじを突設し、両雄ねじ間には、その両雄ねじに螺合するナット状の雌ねじを設けて、その雌ねじにより両雄ねじ間を接近・離間させるように構成すること。
【００４７】
（他の技術的思想）
前記実施形態及び変更例から把握される技術的思想を以下に列記する。
（Ａ）ベッドの前部の上部に、ワークを支持可能なテーブルが走行されるテーブル走行部を設け、ベッドの底面の３箇所には、ベッドの設置のための脚部を設け、前部側の一対の脚部をテーブル走行部の長さ方向の両端部に配置し、前記テーブル走行部の長さを、その後部側のベッドの幅より長く形成した工作機械。
【００４８】
以上のように構成すれば、ベッドを小形化できる。
（Ｂ）後部側の前記脚部を前記テーブル走行部の長さ方向の中央の後方に配置した前記技術的思想（Ａ）項に記載の工作機械。
【００４９】
以上のように構成すれば、工作機械を床面などの設置面に安定状態で設置できる。
（Ｃ）ベッドの一部に、同一軸線上において対向して設けられた一対の雌ねじ部と、操作部の両端に設けられた雄ねじを前記雌ねじ部に螺合した調節部材とよりなる調節手段を設けた工作機械。
【００５０】
このように構成すれば、調節手段によってベッドを変形させて、テーブルの移動域の水平度や真直度などを調節できる。なお、この構成においては、脚の４点支持など、実施形態以外の他の構成の工作機械にも適用可能である。
【００５１】
（Ｄ）前記ベッドの一部には、固定楔部材と、その固定楔部材と係合する可動楔部材とを設け、前記両楔部材の楔作用によってベッドの変形度合いを調節するようにした前記技術的思想（Ｃ）項に記載の工作機械。
【００５２】
このように構成すれば、両楔部材の楔作用によってテーブルの移動域の水平度や真直度などを調節できる。
（Ｅ）ベッドの前部に一方向に延在するテーブル走行部を設け、前記調節手段を前記テーブル走行部における長さ方向の中央に対応して配置した請求項１１に記載の工作機械。
【００５３】
このように構成すれば、テーブル走行部の水平度や真直度などを正確に調節できる。
【符号の説明】
【００５４】
１０…ベッド、１１…ベッド本体、１２…テーブル、１４…支持部材、１５…加工ユニット、１６…回転砥石、２０…底板部２０…下部側板部、２２…上部側板部、２３…前板部、２４…後板部、２５…上板部、２６…立板部、２７…内側板部、２８…開放部、３１…前部脚、３２…後部脚、４３…テーブル走行部、５１…オーバーハング部、６１…ユニットフレーム、６７…側部膨張部、６８…補強リブ、６９…後部膨張部、７３…ボールねじ、７４…砥石軸ユニット、７７…回転砥石、８４…雌ねじ、８５…雄ねじ部材、８６…調節部材、９１…透孔、９２…第１補強フレーム、９３…第２補強フレーム。
【図１】
2019209400.tif 000003
【図２】
2019209400.tif 000004
【図３】
2019209400.tif 000005
【図４】
2019209400.tif 000006
【図５】
2019209400.tif 000007
【図６】
2019209400.tif 000008
【図７】
2019209400.tif 000009
【図８】
2019209400.tif 000010
【図９】
2019209400.tif 000011